(57)【要約】      （修正有）【課題】ゴミ回収時に蓋が本体開口部を塞ぐことがなく、塵またはゴミの回収が容易にできる蓋付縦置型塵取りを提供する。【解決手段】ゴミを収納するための開口部を有する本体１、当該本体を移動し操作するための取っ手２及び本体不使用時に前記本体の開口部を塞ぐための蓋３からなる蓋付縦置型塵取りであって、当該蓋の本体天板対向面の天板側端部には蓋係止突起部が設けられており、当該塵取りの使用終了時等に取っ手を本体背板側に傾けたときに当該蓋係止突起部は本体天板から外れて本体背板の近傍に位置する構成となっていて、前記蓋係止突起部が本体天板から外れた状態において取っ手を元の状態に戻そうとすると、前記蓋係止突起部は本体背板に押圧された状態となり、蓋を本体に係止させることが可能となる。【選択図】図５
0003222723.tif 000002
【実用新案登録請求の範囲】
【請求項１】
塵またはゴミを収納するための開口部を有する箱状の本体１、本体１を移動し操作するための取っ手２及び本体不使用時に本体１の開口部を塞ぐための蓋３からなる塵取りであって、当該蓋３の本体天板側端部に蓋係止突起部１２を設けたことを特徴とする蓋付縦置型塵取り
【請求項２】
請求項１の蓋付縦置型塵取りにおいて、取っ手２を蓋３のほぼ全体が本体に接するまで傾けたときに蓋３の本体天板側端部に設けた蓋係止突起部１２が本体背板方向に落ち込む構成としたことを特徴とする蓋付縦置型塵取り
【請求項３】
請求項２の蓋付縦置型塵取りにおいて、本体背板方向に落ち込んだ蓋係止突起部１２と本体背板６との間に２〜５ｍｍの隙間が構成されるようにしたことを特徴とする蓋付縦置型塵取り
【考案の詳細な説明】
【技術分野】
【０００１】  本考案は、蓋付縦置型塵取りに関するものであり、詳しくは収納した塵の回収が容易な蓋付きの縦置き型塵取りに関するものである。
【背景技術】
【０００２】  従来の蓋付縦置型塵取りは図１で示すように、本体１、取っ手２、蓋３よりなる。また、その本体１は底板４、側板（右）５、背板６、側板（左）７、天板８からなると共に背板６の対向部は開口部となっており、取っ手２はその端部を本体の側板５及び７の外側に係合ピン又は本体突起１０により回動自在に留めてあり、蓋３は係合ピン１１または蓋突起部により取っ手２に回動自在に留めてある。当該塵取りにおいては、塵を収集する時は図２で示すように本体を横位置にして使用する。この時、取っ手２を垂直に立てて使用するので蓋３は取っ手２と連動し、本体１の天板８の上部に移動する。塵を回収する時に取っ手２を持ちあげると、本体１の重心Ｇが取っ手２の係合ピン１０の背板６側に存在するため不使用時の形に戻り、蓋３は本体開口部を覆う形となる。従って、本体に収集した塵を回収する時は、片方の手で取っ手２を持ち、前傾倒させながら、もう一方の手で本体背板６を持ち上げて本体開口部を前傾倒させ、塵を回収しなければならず、煩わしく不便である。
【考案の概要】
【考案が解決しようとする課題】
【０００３】  塵を回収するときに、蓋が本体開口部を塞ぐことがなく塵を容易に回収できる塵取りを提供することにある。
【課題を解決するための手段】
【０００４】  第１の考案は、塵またはゴミを収集するための開口部を有する箱状の本体、当該本体を移動し操作するための取っ手及び本体不使用時に本体の開口部を塞ぐための蓋からなる塵取りであって、当該蓋の本体天板側端部に蓋係止突起部を設けた蓋付縦置型取りである。
第２の考案は、第１の考案において、取っ手を蓋のほぼ全体が本体に接するまで傾けたときに蓋の端部に設けた蓋係止突起部が本体背板方向に落ち込む構成とした蓋付縦置型塵取りである。
加えて第３の考案は、第２の考案において本体背板方向に落ち込んだ蓋係止突起部と本体背板との間に２〜５ｍｍの隙間が構成されるようにした蓋付縦置型塵取りである。
【考案の効果】
【０００５】  上述のように、蓋に蓋係止突起部を設けることにより本考案の塵取りに蓋係留機能を持たせ、取っ手を傾かせることにより、蓋が本体に係留され、取っ手も固定されることになる。これにより、取っ手を持ち、前傾倒しても蓋が本体開口部を塞ぐことなく、塵が片手で容易に回収でき、作業が軽減される。
【図面の簡単な説明】
【０００６】
【図１】従来タイプの蓋付縦置型塵取り（不使用時）の側面図
【図２】従来タイプの蓋付縦置型塵取り（使用時）の側面図
【図３】本考案に係る蓋付縦置型塵取り（不使用時）の側面図
【図４】本考案に係る蓋付縦置型塵取り（使用時）の側面図
【図５】本考案に係る蓋付縦型置塵取り（使用時）の斜視図
【図６】蓋係止突起部の動作説明図  （１）蓋係止突起部を本体背板近傍に押し込んだ図  （２）蓋係止突起部を本体背板に押圧した図  （３）蓋係止突起部近傍の拡大図
【考案を実施するための形態】
【０００７】  ゴミを収納するための開口部を有する本体、当該本体を移動し操作するための取っ手及び本体不使用時に前記本体の開口部を塞ぐための蓋からなる蓋付縦置型塵取りであって、当該蓋の本体天板対向面の天板側端部には蓋係止突起部が設けられており、当該塵取りの使用終了時等に取っ手を本体背板側に傾けたときに当該蓋係止突起部は本体天板から外れて本体背板の近傍に位置する構成となっている。
このような構成にしたことにより、前記蓋係止突起部が本体天板から外れた状態において取っ手を元の位置に戻そうとすると、前記蓋係止突起部は本体背板に押圧された状態となり、蓋を本体に係止させることが可能となる。
【実施例】
【０００８】  以下、添付図面に従って一実施例を説明する。
本考案に係る蓋付縦置型塵取りは、図３及び図４に示すように、図１の従来の蓋付き縦置型塵取りと同じ構成であり、本体１、取っ手２、蓋３よりなり、その本体は底板４、側板（右）５、背板６、側板（左）７、天板８からなり、背板６の対向部は開口部となっている。また、取っ手２は、その端部を本体１の側板５及び７の外側に取っ手支持板係合ピン１０により回動自在にとめてあり蓋３の天板側端部に蓋係止突起部１２が設けられている。
また、蓋係止突起部１２を有する蓋３は、その使用時においては、図４及び図５に示すように、本体１の天板８の上方に位置することになる。【０００９】  加えて、使用終了時において、図６（１）に示すように、取っ手２を本体背板側に倒すことにより、蓋係止突起部１２が本体天板８から外れ、本体背板６の近傍に位置することとなる。
このような状態において、図６（３）に示すように、取っ手２を本体開口部側に戻すことにより、蓋係止突起部１２は本体背板６に押圧された状態となり、蓋３は本体１に係止される。
なお、蓋係止突起部１２が本体天板８から外れた状態において、図６（３）に示すように蓋係止突起部１２と本体背板６とで形成される隙間の間隔（ｄ）は２ｍｍ〜５ｍｍとすることが望ましい。当該間隔が２ｍｍ以下となると蓋係止突起部１２は本体天板８から外れにくくなり、また、その間隔が５ｍｍを超えると蓋係止突起部１２の押圧は低下する。【００１０】  また、本体１に係止された蓋３の開放は、本体１を横位置に置いた状態で、蓋３の端部、即ち、蓋係止突起部１２を上方に持ち上げることで可能となる。【００１１】  本考案の一実施例は上述のごとき構成からなるものであるが、蓋係止突起部１２と本体背板６とが接する面の少なくともどちらか一方の面にラバーや溝などの滑り止めを施し、接する面の摩擦係数を向上させてもよい。
【符号の説明】
【００１２】１    本体
２    取っ手
３    蓋
４    底板
５    側板（右）
６    背板
７    側板（左）
８    天板
９    取っ手支持板
１０  取っ手支持板係合ピン
１１  係合ピン
１２  蓋係止突起部
Ｇ    本体重心
【図１】
0003222723.tif 000003
【図２】
0003222723.tif 000004
【図３】
0003222723.tif 000005
【図４】
0003222723.tif 000006
【図５】
0003222723.tif 000007
【図６】
0003222723.tif 000008